【手続補正書】
【提出日】平成27年6月2日(2015.6.2)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上の第２のシンボル中でサウンディング基準信号（ＳＲＳ）と同時に、前記複数のコンポーネントキャリアのうちの１つまたは複数の第１のコンポーネントキャリア上の第１のシンボル中でデータまたは制御情報のうちの少なくとも１つを送信すべきかどうかを決定することと、前記第２のシンボルは、前記第１のシンボルとオーバーラップする、
前記第１のシンボル中で前記データまたは前記制御情報のうちの前記少なくとも１つを送信することと、
前記アップリンクタイミンググループの数が２以上であると決定され、前記ＵＥが前記第１および第２のシンボルのオーバーラップ部分において電力制限されるとき、前記第２のシンボル中で前記ＳＲＳを送信するのを控えることと、
を備える、ワイヤレス通信の方法。
【請求項２】
前記アップリンクタイミンググループの数は上位レイヤシグナリング構成に基づいて決定される、請求項１に記載の方法。
【請求項３】
ただ１つのアップリンクタイミンググループが決定され、
前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信することと、
前記データまたは前記制御情報のうちの前記少なくとも１つが前記１つまたは複数の第１のコンポーネントキャリア上の前記シンボル中で送信されるとき、前記１つまたは複数の第２のコンポーネントキャリア上の前記シンボル中で前記ＳＲＳを送信するのを控えることと、をさらに備える、請求項１に記載の方法。
【請求項４】
少なくとも２つのアップリンクタイミンググループが決定され、
前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上でＳＲＳを送信することをさらに備える、請求項１に記載の方法。
【請求項５】
前記１つまたは複数の第１のコンポーネントキャリアと前記１つまたは複数の第２のコンポーネントキャリアとが同じアップリンクタイミンググループに関連する、請求項４に記載の方法。
【請求項６】
前記１つまたは複数の第１のコンポーネントキャリアと前記１つまたは複数の第２のコンポーネントキャリアとが異なるアップリンクタイミンググループに関連する、請求項４に記載の方法。
【請求項７】
前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを前記決定することは、ユーザ機器（ＵＥ）が、前記ＳＲＳと同時に前記データまたは前記制御情報のうちの前記少なくとも１つを送信するのに電力制限されるかどうかにさらに基づく、請求項４に記載の方法。
【請求項８】
前記ＵＥが電力制限されないとき、前記ＳＲＳと前記データまたは前記制御情報のうちの前記少なくとも１つとを同時に送信することと、
前記ＵＥが電力制限されるとき、前記ＳＲＳと前記データまたは前記制御情報のうちの前記少なくとも１つとを同時に送信するのを控えることと、をさらに備える、請求項７に記載の方法。
【請求項９】
前記アップリンクタイミンググループの数が２以上であると決定され、前記ＵＥが前記第１および第２のシンボルのオーバーラップ部分において電力制限されないとき、前記第１のシンボル中で前記データまたは前記制御情報のうちの前記少なくとも１つと同時に、第２のシンボル中で前記ＳＲＳを送信することを備える、請求項１に記載の方法。
【請求項１０】
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定することと、
前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信することと
を備える、ワイヤレス通信の方法。
【請求項１１】
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定することと、
前記複数のコンポーネントキャリアのうちの少なくとも１つのためのタイミングアドバンスコマンドを受信することと、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定することと、
を備える、ワイヤレス通信の方法。
【請求項１２】
前記タイミングアドバンスコマンドは前記１つまたは複数の第１のコンポーネントキャリアのためのものであり、
前記１つまたは複数の第１のコンポーネントキャリアのアップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトすることと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングはシフトされる、
請求項１１に記載の方法。
【請求項１３】
受信された前記タイミングアドバンスコマンドは前記１つまたは複数の第１のコンポーネントキャリアのためのものであり、
前記１つまたは複数の第１のコンポーネントキャリアの前記アップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトすることと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
請求項１１に記載の方法。
【請求項１４】
前記１つまたは複数の第１のコンポーネントキャリアと前記１つまたは複数の第２のコンポーネントキャリアの両方のためのタイミングアドバンスコマンドが受信され、
前記１つまたは複数の第１のコンポーネントキャリアの前記アップリンクタイミングに前記１つまたは複数の第１のコンポーネントキャリアのための前記タイミングアドバンスコマンドを適用することと、
前記１つまたは複数の第２のコンポーネントキャリアの前記アップリンクタイミングに前記１つまたは複数の第２のコンポーネントキャリアのための前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトすることと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つがシフトされる、
請求項１１に記載の方法。
【請求項１５】
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、請求項１４に記載の方法。
【請求項１６】
ユーザ機器（ＵＥ）のワイヤレス通信のための装置であって、
複数のコンポーネントキャリアのために構成されたアップリンクタイミンググループの数を決定する手段と、
前記アップリンクタイミンググループの数に少なくとも部分的に基づいて、前記複数のコンポーネントキャリアのうちの１つまたは複数の第２のコンポーネントキャリア上の第２のシンボル中でサウンディング基準信号（ＳＲＳ）と同時に、前記複数のコンポーネントキャリアのうちの１つまたは複数の第１のコンポーネントキャリア上の第１のシンボル中でデータまたは制御情報のうちの少なくとも１つを送信すべきかどうかを決定する手段と、前記第２のシンボルは、前記第１のシンボルとオーバーラップする、
前記第１のシンボル中で前記データまたは前記制御情報のうちの前記少なくとも１つを送信する手段と、
前記アップリンクタイミンググループの数が２以上であると決定され、前記ＵＥが前記第１および第２のシンボルのオーバーラップ部分において電力制限されるとき、前記第２のシンボル中で前記ＳＲＳを送信するのを控える手段と、
を備える、ワイヤレス通信のための装置。
【請求項１７】
前記アップリンクタイミンググループの数は上位レイヤシグナリング構成に基づいて決定される、請求項１６に記載の装置。
【請求項１８】
ただ１つのアップリンクタイミンググループが決定され、
前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信する手段をさらに備え、
前記ＳＲＳを送信する前記手段は、前記データまたは前記制御情報のうちの前記少なくとも１つが前記１つまたは複数の第１のコンポーネントキャリア上の前記シンボル中で送信されたとき、前記１つまたは複数の第２のコンポーネントキャリア上の前記シンボル中で前記ＳＲＳを送信するのを控えるように構成された、請求項１６に記載の装置。
【請求項１９】
少なくとも２つのアップリンクタイミンググループが決定され、
前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上で前記ＳＲＳを送信する手段をさらに備える、請求項１６に記載の装置。
【請求項２０】
前記１つまたは複数の第１のコンポーネントキャリアと前記１つまたは複数の第２のコンポーネントキャリアとが同じアップリンクタイミンググループに関連する、請求項１９に記載の装置。
【請求項２１】
前記１つまたは複数の第１のコンポーネントキャリアと前記１つまたは複数の第２のコンポーネントキャリアとが異なるアップリンクタイミンググループに関連する、請求項１９に記載の装置。
【請求項２２】
前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを決定する前記手段は、ユーザ機器（ＵＥ）が、前記ＳＲＳと同時に前記データまたは前記制御情報のうちの前記少なくとも１つを送信するのに電力制限されるかどうかにさらに基づく、請求項１９に記載の装置。
【請求項２３】
前記ＳＲＳを送信する前記手段は、
前記ＵＥが電力制限されないとき、前記ＳＲＳと前記データまたは前記制御情報のうちの前記少なくとも１つとを同時に送信することと、
前記ＵＥが電力制限されるとき、前記ＳＲＳと前記データまたは前記制御情報のうちの前記少なくとも１つとを同時に送信するのを控えることとを行うように構成された、請求項２２に記載の装置。
【請求項２４】
複数のコンポーネントキャリアのために構成されたアップリンクタイミンググループの数を決定する手段と、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定する手段と、
前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信する手段と、
を備える、ワイヤレス通信のための装置。
【請求項２５】
複数のコンポーネントキャリアのために構成されたアップリンクタイミンググループの数を決定する手段と、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定する手段と、
前記複数のコンポーネントキャリアのうちの少なくとも１つのためのタイミングアドバンスコマンドを受信する手段と、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定する手段と、
を備える、ワイヤレス通信のための装置。
【請求項２６】
前記タイミングアドバンスコマンドは前記１つまたは複数の第１のコンポーネントキャリアのためのものであり、
前記タイミングアドバンスコマンドを適用すべきかどうかを決定する前記手段は、
前記１つまたは複数の第１のコンポーネントキャリアのアップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングはシフトされる、
請求項２５に記載の装置。
【請求項２７】
受信された前記タイミングアドバンスコマンドは前記１つまたは複数の第１のコンポーネントキャリアのためのものであり、
前記タイミングアドバンスコマンドを適用すべきかどうかを決定する前記手段は、
前記１つまたは複数の第１のコンポーネントキャリアの前記アップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
請求項２５に記載の装置。
【請求項２８】
前記１つまたは複数の第１のコンポーネントキャリアと前記１つまたは複数の第１のコンポーネントキャリアの両方のためのタイミングアドバンスコマンドが受信され、
前記タイミングアドバンスコマンドを適用すべきかどうかを決定する前記手段は、
前記１つまたは複数の第１のコンポーネントキャリアの前記アップリンクタイミングに前記１つまたは複数の第１のコンポーネントキャリアのための前記タイミングアドバンスコマンドを適用することと、
前記１つまたは複数の第２のコンポーネントキャリアの前記アップリンクタイミングに前記１つまたは複数の第２のコンポーネントキャリアのための前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つがシフトされる、
請求項２５に記載の装置。
【請求項２９】
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、請求項２８に記載の装置。
【請求項３０】
ユーザ機器（ＵＥ）のワイヤレス通信のための装置であって、
メモリと、
前記メモリに結合された少なくとも１つのプロセッサとを備え、前記少なくとも１つのプロセッサは、
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上の第２のシンボル中でサウンディング基準信号（ＳＲＳ）と同時に、前記複数のコンポーネントキャリアのうちの１つまたは複数の第１のコンポーネントキャリア上の第１のシンボル中でデータまたは制御情報のうちの少なくとも１つを送信すべきかどうかを決定することと、前記第２のシンボルは、前記第１のシンボルとオーバーラップする、
前記第１のシンボル中で前記データまたは前記制御情報のうちの前記少なくとも１つを送信することと、
前記アップリンクタイミンググループの数が２以上であると決定され、前記ＵＥが前記第１および第２のシンボルのオーバーラップ部分において電力制限されるとき、前記第２のシンボル中で前記ＳＲＳを送信するのを控えることと、
を行うように構成された、ワイヤレス通信のための装置。
【請求項３１】
前記アップリンクタイミンググループの数が上位レイヤシグナリング構成に基づいて決定される、請求項３０に記載の装置。
【請求項３２】
ただ１つのアップリンクタイミンググループが決定され、
前記処理システムは、前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信するように構成され、
前記処理システムは、前記データまたは前記制御情報のうちの前記少なくとも１つが前記１つまたは複数の第１のコンポーネントキャリア上の前記シンボル中で送信されるとき、前記１つまたは複数の第２のコンポーネントキャリア上の前記シンボル中で前記ＳＲＳを送信するのを控えるように構成された、請求項３０に記載の装置。
【請求項３３】
少なくとも２つのアップリンクタイミンググループが決定され、
前記処理システムは、前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上で前記ＳＲＳを送信するように構成された、請求項３０に記載の装置。
【請求項３４】
前記１つまたは複数の第１のコンポーネントキャリアと前記１つまたは複数の第２のコンポーネントキャリアとが同じアップリンクタイミンググループに関連する、請求項３３に記載の装置。
【請求項３５】
前記１つまたは複数の第１のコンポーネントキャリアと前記１つまたは複数の第２のコンポーネントキャリアとが異なるアップリンクタイミンググループに関連する、請求項３３に記載の装置。
【請求項３６】
前記処理システムは、ユーザ機器（ＵＥ）が、前記ＳＲＳと同時に前記データまたは前記制御情報のうちの前記少なくとも１つを送信するのに電力制限されるかどうかにさらに基づいて、前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを決定するように構成された、請求項３３に記載の装置。
【請求項３７】
前記処理システムは、
前記ＵＥが電力制限されないとき、前記ＳＲＳと前記データまたは前記制御情報のうちの前記少なくとも１つとを同時に送信することと、
前記ＵＥが電力制限されるとき、前記ＳＲＳと前記データまたは前記制御情報のうちの前記少なくとも１つとを同時に送信するのを控えることと、
を行うように構成された、請求項３６に記載の装置。
【請求項３８】
メモリと、
前記メモリに結合された少なくとも１つのプロセッサとを備え、前記少なくとも１つのプロセッサは、
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定することと、
前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信することと、
を行うように構成された、ワイヤレス通信のための装置。
【請求項３９】
メモリと、
前記メモリに結合された少なくとも１つのプロセッサとを備え、前記少なくとも１つのプロセッサは、
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定することと、
前記複数のコンポーネントキャリアのうちの少なくとも１つのためのタイミングアドバンスコマンドを受信することと、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定することと、
を行うように構成された、ワイヤレス通信のための装置。
【請求項４０】
前記タイミングアドバンスコマンドは前記１つまたは複数の第１のコンポーネントキャリアのためのものであり、
前記処理システムは、
前記１つまたは複数の第１のコンポーネントキャリアのアップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングがシフトされる、
請求項３９に記載の装置。
【請求項４１】
受信された前記タイミングアドバンスコマンドは前記１つまたは複数の第１のコンポーネントキャリアのためのものであり、
前記処理システムは、
前記１つまたは複数の第１のコンポーネントキャリアの前記アップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
請求項３９に記載の装置。
【請求項４２】
前記１つまたは複数の第１のコンポーネントキャリアと前記１つまたは複数の第１のコンポーネントキャリアの両方のためのタイミングアドバンスコマンドが受信され、
前記処理システムは、
前記１つまたは複数の第１のコンポーネントキャリアの前記アップリンクタイミングに前記１つまたは複数の第１のコンポーネントキャリアのための前記タイミングアドバンスコマンドを適用することと、
前記１つまたは複数の第２のコンポーネントキャリアの前記アップリンクタイミングに前記１つまたは複数の第２のコンポーネントキャリアのための前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つはシフトされる、
請求項３９に記載の装置。
【請求項４３】
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、請求項４２に記載の装置。
【請求項４４】
ユーザ機器（ＵＥ）の非一時的なコンピュータ可読媒体であって、
少なくとも１つのプロセッサで実行されたとき、前記少なくとも１つのプロセッサに、
複数のコンポーネントキャリアのために構成されたアップリンクタイミンググループの数を決定し、
前記アップリンクタイミンググループの数に少なくとも部分的に基づいて、前記複数のコンポーネントキャリアのうちの１つまたは複数の第２のコンポーネントキャリア上の第２のシンボル中でサウンディング基準信号（ＳＲＳ）と同時に、前記複数のコンポーネントキャリアのうちの１つまたは複数の第１のコンポーネントキャリア上の第１のシンボル中でデータまたは制御情報のうちの少なくとも１つを送信すべきかどうかを決定し、前記第２のシンボルは、前記第１のシンボルとオーバーラップする、
前記第１のシンボル中で前記データまたは前記制御情報のうちの前記少なくとも１つを送信し、
前記アップリンクタイミンググループの数が２以上であると決定され、前記ＵＥが前記第１および第２のシンボルのオーバーラップ部分において電力制限されるとき、前記第２のシンボル中で前記ＳＲＳを送信するのを控える
動作を実行させるコードを備える、非一時的なコンピュータ可読媒体。
【請求項４５】
前記アップリンクタイミンググループの数が上位レイヤシグナリング構成に基づいて決定される、請求項４４に記載の非一時的なコンピュータ可読媒体。
【請求項４６】
ただ１つのアップリンクタイミンググループが決定され、
前記非一時的なコンピュータ可読媒体は、前記少なくとも１つのプロセッサで実行されたとき、前記少なくとも１つのプロセッサに、
前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信し、
前記データまたは前記制御情報のうちの前記少なくとも１つが前記１つまたは複数の第１のコンポーネントキャリア上の前記シンボル中で送信されるとき、前記１つまたは複数の第２のコンポーネントキャリア上の前記シンボル中で前記ＳＲＳを送信するのを控える
動作を実行させるコードをさらに備える、請求項４４に記載の非一時的なコンピュータ可読媒体。
【請求項４７】
少なくとも２つのアップリンクタイミンググループが決定され、
前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上でＳＲＳを送信することをさらに備える、請求項４４に記載の非一時的なコンピュータ可読媒体。
【請求項４８】
前記１つまたは複数の第１のコンポーネントキャリアと前記１つまたは複数の第２のコンポーネントキャリアとが同じアップリンクタイミンググループに関連する、請求項４７に記載の非一時的なコンピュータ可読媒体。
【請求項４９】
前記１つまたは複数の第１のコンポーネントキャリアと前記１つまたは複数の第２のコンポーネントキャリアとが異なるアップリンクタイミンググループに関連する、請求項４７に記載の非一時的なコンピュータ可読媒体。
【請求項５０】
前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを決定することは、ユーザ機器（ＵＥ）が、前記ＳＲＳと同時に前記データまたは前記制御情報のうちの前記少なくとも１つを送信するのに電力制限されるかどうかにさらに基づく、請求項４７に記載の非一時的なコンピュータ可読媒体。
【請求項５１】
前記非一時的なコンピュータ可読媒体は、前記少なくとも１つのプロセッサで実行されたとき、前記少なくとも１つのプロセッサに、
前記ＵＥが電力制限されないとき、前記ＳＲＳと前記データまたは前記制御情報のうちの前記少なくとも１つとを同時に送信し、
前記ＵＥが電力制限されるとき、前記ＳＲＳと前記データまたは前記制御情報のうちの前記少なくとも１つとを同時に送信するのを控える
動作を実行させるコードをさらに備える、請求項５０に記載の非一時的なコンピュータ可読媒体。
【請求項５２】
ユーザ機器（ＵＥ）の非一時的なコンピュータ可読媒体であって、
少なくとも１つのプロセッサで実行されたとき、前記少なくとも１つのプロセッサに、
複数のコンポーネントキャリアのために構成されたアップリンクタイミンググループの数を決定し、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定し、
前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信する
動作を実行させるコードを備える、非一時的なコンピュータ可読媒体。
【請求項５３】
ユーザ機器（ＵＥ）の非一時的なコンピュータ可読媒体であって、
少なくとも１つのプロセッサで実行されたとき、前記少なくとも１つのプロセッサに、
複数のコンポーネントキャリアのために構成されたアップリンクタイミンググループの数を決定し、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定し、
前記複数のコンポーネントキャリアのうちの少なくとも１つのためのタイミングアドバンスコマンドを受信し、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定する
動作を実行させるコードを備える、非一時的なコンピュータ可読媒体。
【請求項５４】
前記タイミングアドバンスコマンドは前記１つまたは複数の第１のコンポーネントキャリアのためのものであり、
前記非一時的なコンピュータ可読媒体は、前記少なくとも１つのプロセッサで実行されたとき、前記少なくとも１つのプロセッサに、
前記１つまたは複数の第１のコンポーネントキャリアのアップリンクタイミングに前記タイミングアドバンスコマンドを適用し、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトする
動作を実行させるコード
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングがシフトされる、
請求項５３に記載の非一時的なコンピュータ可読媒体。
【請求項５５】
受信された前記タイミングアドバンスコマンドは前記１つまたは複数の第１のコンポーネントキャリアのためのものであり、
前記非一時的なコンピュータ可読媒体は、前記少なくとも１つのプロセッサで実行されたとき、前記少なくとも１つのプロセッサに、
前記１つまたは複数の第１のコンポーネントキャリアの前記アップリンクタイミングに前記タイミングアドバンスコマンドを適用し、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトする
動作を実行させるコード
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
請求項５３に記載の非一時的なコンピュータ可読媒体。
【請求項５６】
前記１つまたは複数の第１のコンポーネントキャリアと前記１つまたは複数の第１のコンポーネントキャリアの両方のためのタイミングアドバンスコマンドが受信され、
前記非一時的なコンピュータ可読媒体は、前記少なくとも１つのプロセッサで実行されたとき、前記少なくとも１つのプロセッサに、
前記１つまたは複数の第１のコンポーネントキャリアの前記アップリンクタイミングに前記１つまたは複数の第１のコンポーネントキャリアのための前記タイミングアドバンスコマンドを適用し、
前記１つまたは複数の第２のコンポーネントキャリアの前記アップリンクタイミングに前記１つまたは複数の第２のコンポーネントキャリアのための前記タイミングアドバンスコマンドを適用し、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトする
動作を実行させるコード
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つがシフトされる、
請求項５３に記載の非一時的なコンピュータ可読媒体。
【請求項５７】
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、請求項５６に記載の非一時的なコンピュータ可読媒体。
【手続補正２】
【補正対象書類名】明細書
【補正対象項目名】０１１６
【補正方法】変更
【補正の内容】
【０１１６】
[00139]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に、出願当初の特許請求の範囲に記載された発明を付記する。
［Ｃ１］
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定することと、
を備える、ワイヤレス通信の方法。
［Ｃ２］
前記アップリンクタイミンググループの数は上位レイヤシグナリング構成に基づいて決定される、Ｃ１に記載の方法。
［Ｃ３］
ただ１つのアップリンクタイミンググループが決定され、
前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信することと、
前記データまたは前記制御情報のうちの前記少なくとも１つが前記１つまたは複数の第１のコンポーネントキャリア上の前記シンボル中で送信されるとき、前記１つまたは複数の第２のコンポーネントキャリア上の前記シンボル中で前記ＳＲＳを送信するのを控えることと、をさらに備える、Ｃ１に記載の方法。
［Ｃ４］
少なくとも２つのアップリンクタイミンググループが決定され、
前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上でＳＲＳを送信することをさらに備える、Ｃ１に記載の方法。
［Ｃ５］
前記１つまたは複数の第１のコンポーネントキャリアと前記１つまたは複数の第２のコンポーネントキャリアとが同じアップリンクタイミンググループに関連する、Ｃ４に記載の方法。
［Ｃ６］
前記１つまたは複数の第１のコンポーネントキャリアと前記１つまたは複数の第２のコンポーネントキャリアとが異なるアップリンクタイミンググループに関連する、Ｃ４に記載の方法。
［Ｃ７］
前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを前記決定することは、ユーザ機器（ＵＥ）が、前記ＳＲＳと同時に前記データまたは前記制御情報のうちの前記少なくとも１つを送信するのに電力制限されるかどうかにさらに基づく、Ｃ４に記載の方法。
［Ｃ８］
前記ＵＥが電力制限されないとき、前記ＳＲＳと前記データまたは前記制御情報のうちの前記少なくとも１つとを同時に送信することと、
前記ＵＥが電力制限されるとき、前記ＳＲＳと前記データまたは前記制御情報のうちの前記少なくとも１つとを同時に送信するのを控えることと、をさらに備える、Ｃ７に記載の方法。
［Ｃ９］
前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信することをさらに備える、Ｃ１に記載の方法。
［Ｃ１０］
前記複数のコンポーネントキャリアのうちの少なくとも１つのためのタイミングアドバンスコマンドを受信することと、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定することと、
をさらに備える、Ｃ１に記載の方法。
［Ｃ１１］
前記タイミングアドバンスコマンドは前記１つまたは複数の第１のコンポーネントキャリアのためのものであり、
前記１つまたは複数の第１のコンポーネントキャリアのアップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトすることと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングはシフトされる、
Ｃ１０に記載の方法。
［Ｃ１２］
受信された前記タイミングアドバンスコマンドは前記１つまたは複数の第１のコンポーネントキャリアのためのものであり、
前記１つまたは複数の第１のコンポーネントキャリアの前記アップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトすることと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
Ｃ１０に記載の方法。
［Ｃ１３］
前記１つまたは複数の第１のコンポーネントキャリアと前記１つまたは複数の第２のコンポーネントキャリアの両方のためのタイミングアドバンスコマンドが受信され、
前記１つまたは複数の第１のコンポーネントキャリアの前記アップリンクタイミングに前記１つまたは複数の第１のコンポーネントキャリアのための前記タイミングアドバンスコマンドを適用することと、
前記１つまたは複数の第２のコンポーネントキャリアの前記アップリンクタイミングに前記１つまたは複数の第２のコンポーネントキャリアのための前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトすることと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つがシフトされる、
Ｃ１０に記載の方法。
［Ｃ１４］
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、Ｃ１３に記載の方法。
［Ｃ１５］
複数のコンポーネントキャリアのために構成されたアップリンクタイミンググループの数を決定する手段と、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定する手段と、
を備える、ワイヤレス通信のための装置。
［Ｃ１６］
前記アップリンクタイミンググループの数は上位レイヤシグナリング構成に基づいて決定される、Ｃ１５に記載の装置。
［Ｃ１７］
ただ１つのアップリンクタイミンググループが決定され、
前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信する手段をさらに備え、
前記ＳＲＳを送信する前記手段は、前記データまたは前記制御情報のうちの前記少なくとも１つが前記１つまたは複数の第１のコンポーネントキャリア上の前記シンボル中で送信されたとき、前記１つまたは複数の第２のコンポーネントキャリア上の前記シンボル中で前記ＳＲＳを送信するのを控えるように構成された、Ｃ１５に記載の装置。
［Ｃ１８］
少なくとも２つのアップリンクタイミンググループが決定され、
前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上で前記ＳＲＳを送信する手段をさらに備える、Ｃ１５に記載の装置。
［Ｃ１９］
前記１つまたは複数の第１のコンポーネントキャリアと前記１つまたは複数の第２のコンポーネントキャリアとが同じアップリンクタイミンググループに関連する、Ｃ１８に記載の装置。
［Ｃ２０］
前記１つまたは複数の第１のコンポーネントキャリアと前記１つまたは複数の第２のコンポーネントキャリアとが異なるアップリンクタイミンググループに関連する、Ｃ１８に記載の装置。
［Ｃ２１］
前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを決定する前記手段は、ユーザ機器（ＵＥ）が、前記ＳＲＳと同時に前記データまたは前記制御情報のうちの前記少なくとも１つを送信するのに電力制限されるかどうかにさらに基づく、Ｃ１８に記載の装置。
［Ｃ２２］
前記ＳＲＳを送信する前記手段は、
前記ＵＥが電力制限されないとき、前記ＳＲＳと前記データまたは前記制御情報のうちの前記少なくとも１つとを同時に送信することと、
前記ＵＥが電力制限されるとき、前記ＳＲＳと前記データまたは前記制御情報のうちの前記少なくとも１つとを同時に送信するのを控えることとを行うように構成された、Ｃ２１に記載の装置。
［Ｃ２３］
前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信する手段をさらに備える、Ｃ１５に記載の装置。
［Ｃ２４］
前記複数のコンポーネントキャリアのうちの少なくとも１つのためのタイミングアドバンスコマンドを受信する手段と、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定する手段と、
をさらに備える、Ｃ１５に記載の装置。
［Ｃ２５］
前記タイミングアドバンスコマンドは前記１つまたは複数の第１のコンポーネントキャリアのためのものであり、
前記タイミングアドバンスコマンドを適用すべきかどうかを決定する前記手段は、
前記１つまたは複数の第１のコンポーネントキャリアのアップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングはシフトされる、
Ｃ２４に記載の装置。
［Ｃ２６］
受信された前記タイミングアドバンスコマンドは前記１つまたは複数の第１のコンポーネントキャリアのためのものであり、
前記タイミングアドバンスコマンドを適用すべきかどうかを決定する前記手段は、
前記１つまたは複数の第１のコンポーネントキャリアの前記アップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
Ｃ２４に記載の装置。
［Ｃ２７］
前記１つまたは複数の第１のコンポーネントキャリアと前記１つまたは複数の第１のコンポーネントキャリアの両方のためのタイミングアドバンスコマンドが受信され、
前記タイミングアドバンスコマンドを適用すべきかどうかを決定する前記手段は、
前記１つまたは複数の第１のコンポーネントキャリアの前記アップリンクタイミングに前記１つまたは複数の第１のコンポーネントキャリアのための前記タイミングアドバンスコマンドを適用することと、
前記１つまたは複数の第２のコンポーネントキャリアの前記アップリンクタイミングに前記１つまたは複数の第２のコンポーネントキャリアのための前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つがシフトされる、
Ｃ２４に記載の装置。
［Ｃ２８］
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、Ｃ２７に記載の装置。
［Ｃ２９］
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定することと
を行うように構成された処理システム
を備える、ワイヤレス通信のための装置。
［Ｃ３０］
前記アップリンクタイミンググループの数が上位レイヤシグナリング構成に基づいて決定される、Ｃ２９に記載の装置。
［Ｃ３１］
ただ１つのアップリンクタイミンググループが決定され、
前記処理システムは、前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信するように構成され、
前記処理システムは、前記データまたは前記制御情報のうちの前記少なくとも１つが前記１つまたは複数の第１のコンポーネントキャリア上の前記シンボル中で送信されるとき、前記１つまたは複数の第２のコンポーネントキャリア上の前記シンボル中で前記ＳＲＳを送信するのを控えるように構成された、Ｃ２９に記載の装置。
［Ｃ３２］
少なくとも２つのアップリンクタイミンググループが決定され、
前記処理システムは、前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上で前記ＳＲＳを送信するように構成された、Ｃ２９に記載の装置。
［Ｃ３３］
前記１つまたは複数の第１のコンポーネントキャリアと前記１つまたは複数の第２のコンポーネントキャリアとが同じアップリンクタイミンググループに関連する、Ｃ３２に記載の装置。
［Ｃ３４］
前記１つまたは複数の第１のコンポーネントキャリアと前記１つまたは複数の第２のコンポーネントキャリアとが異なるアップリンクタイミンググループに関連する、Ｃ３２に記載の装置。
［Ｃ３５］
前記処理システムは、ユーザ機器（ＵＥ）が、前記ＳＲＳと同時に前記データまたは前記制御情報のうちの前記少なくとも１つを送信するのに電力制限されるかどうかにさらに基づいて、前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを決定するように構成された、Ｃ３２に記載の装置。
［Ｃ３６］
前記処理システムは、
前記ＵＥが電力制限されないとき、前記ＳＲＳと前記データまたは前記制御情報のうちの前記少なくとも１つとを同時に送信することと、
前記ＵＥが電力制限されるとき、前記ＳＲＳと前記データまたは前記制御情報のうちの前記少なくとも１つとを同時に送信するのを控えることと、
を行うように構成された、Ｃ３５に記載の装置。
［Ｃ３７］
前記処理システムは、前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信するように構成された、Ｃ２９に記載の装置。
［Ｃ３８］
前記処理システムは、
前記複数のコンポーネントキャリアのうちの少なくとも１つのためのタイミングアドバンスコマンドを受信することと、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定することと、
を行うように構成された、Ｃ２９に記載の装置。
［Ｃ３９］
前記タイミングアドバンスコマンドは前記１つまたは複数の第１のコンポーネントキャリアのためのものであり、
前記処理システムは、
前記１つまたは複数の第１のコンポーネントキャリアのアップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングがシフトされる、
Ｃ３８に記載の装置。
［Ｃ４０］
受信された前記タイミングアドバンスコマンドは前記１つまたは複数の第１のコンポーネントキャリアのためのものであり、
前記処理システムは、
前記１つまたは複数の第１のコンポーネントキャリアの前記アップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
Ｃ３８に記載の装置。
［Ｃ４１］
前記１つまたは複数の第１のコンポーネントキャリアと前記１つまたは複数の第１のコンポーネントキャリアの両方のためのタイミングアドバンスコマンドが受信され、
前記処理システムは、
前記１つまたは複数の第１のコンポーネントキャリアの前記アップリンクタイミングに前記１つまたは複数の第１のコンポーネントキャリアのための前記タイミングアドバンスコマンドを適用することと、
前記１つまたは複数の第２のコンポーネントキャリアの前記アップリンクタイミングに前記１つまたは複数の第２のコンポーネントキャリアのための前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つはシフトされる、
Ｃ３８に記載の装置。
［Ｃ４２］
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、Ｃ４１に記載の装置。
［Ｃ４３］
複数のコンポーネントキャリアのために構成されたアップリンクタイミンググループの数を決定するためのコードと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定するためのコードと
を備えるコンピュータ可読媒体
を備える、コンピュータプログラム製品。
［Ｃ４４］
前記アップリンクタイミンググループの数が上位レイヤシグナリング構成に基づいて決定される、Ｃ４３に記載のコンピュータプログラム製品。
［Ｃ４５］
ただ１つのアップリンクタイミンググループが決定され、
前記コンピュータ可読媒体は、
前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信するためのコードと、
前記データまたは前記制御情報のうちの前記少なくとも１つが前記１つまたは複数の第１のコンポーネントキャリア上の前記シンボル中で送信されるとき、前記１つまたは複数の第２のコンポーネントキャリア上の前記シンボル中で前記ＳＲＳを送信するのを控えるためのコードと、
をさらに備える、Ｃ４３に記載のコンピュータプログラム製品。
［Ｃ４６］
少なくとも２つのアップリンクタイミンググループが決定され、
前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上でＳＲＳを送信することをさらに備える、Ｃ４３に記載のコンピュータプログラム製品。
［Ｃ４７］
前記１つまたは複数の第１のコンポーネントキャリアと前記１つまたは複数の第２のコンポーネントキャリアとが同じアップリンクタイミンググループに関連する、Ｃ４６に記載のコンピュータプログラム製品。
［Ｃ４８］
前記１つまたは複数の第１のコンポーネントキャリアと前記１つまたは複数の第２のコンポーネントキャリアとが異なるアップリンクタイミンググループに関連する、Ｃ４６に記載のコンピュータプログラム製品。
［Ｃ４９］
前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを決定することは、ユーザ機器（ＵＥ）が、前記ＳＲＳと同時に前記データまたは前記制御情報のうちの前記少なくとも１つを送信するのに電力制限されるかどうかにさらに基づく、Ｃ４６に記載のコンピュータプログラム製品。
［Ｃ５０］
前記コンピュータ可読媒体は、
前記ＵＥが電力制限されないとき、前記ＳＲＳと前記データまたは前記制御情報のうちの前記少なくとも１つとを同時に送信するためのコードと、
前記ＵＥが電力制限されるとき、前記ＳＲＳと前記データまたは前記制御情報のうちの前記少なくとも１つとを同時に送信するのを控えるためのコードと、
をさらに備える、Ｃ４９に記載のコンピュータプログラム製品。
［Ｃ５１］
前記コンピュータ可読媒体は、前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信するためのコードをさらに備える、Ｃ４３に記載のコンピュータプログラム製品。
［Ｃ５２］
前記コンピュータ可読媒体は、
前記複数のコンポーネントキャリアのうちの少なくとも１つのためのタイミングアドバンスコマンドを受信するためのコードと、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定するためのコードと、
をさらに備える、Ｃ４３に記載のコンピュータプログラム製品。
［Ｃ５３］
前記タイミングアドバンスコマンドは前記１つまたは複数の第１のコンポーネントキャリアのためのものであり、
前記コンピュータ可読媒体は、
前記１つまたは複数の第１のコンポーネントキャリアのアップリンクタイミングに前記タイミングアドバンスコマンドを適用するためのコードと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトするためのコードと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングがシフトされる、
Ｃ５２に記載のコンピュータプログラム製品。
［Ｃ５４］
受信された前記タイミングアドバンスコマンドは前記１つまたは複数の第１のコンポーネントキャリアのためのものであり、
前記コンピュータ可読媒体は、
前記１つまたは複数の第１のコンポーネントキャリアの前記アップリンクタイミングに前記タイミングアドバンスコマンドを適用するためのコードと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトするためのコードと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
Ｃ５２に記載のコンピュータプログラム製品。
［Ｃ５５］
前記１つまたは複数の第１のコンポーネントキャリアと前記１つまたは複数の第１のコンポーネントキャリアの両方のためのタイミングアドバンスコマンドが受信され、
前記コンピュータ可読媒体は、
前記１つまたは複数の第１のコンポーネントキャリアの前記アップリンクタイミングに前記１つまたは複数の第１のコンポーネントキャリアのための前記タイミングアドバンスコマンドを適用するためのコードと、
前記１つまたは複数の第２のコンポーネントキャリアの前記アップリンクタイミングに前記１つまたは複数の第２のコンポーネントキャリアのための前記タイミングアドバンスコマンドを適用するためのコードと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトするためのコードと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つがシフトされる、
Ｃ５２に記載のコンピュータプログラム製品。
［Ｃ５６］
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、Ｃ５５に記載のコンピュータプログラム製品。